Podtech/llm-jp-corpus-v4-ja_patent huggingface dataset:
(57)【要約】      （修正有）【課題】表情を変化させることができ、顔の向きを変えることができる縫い包みの骨格を提供する。【解決手段】前脚部７を取り付けた胴体部６を安定盤１４に載せ固定し、前脚部に挟まれた胴体部前面に取り付けられたフリーチューブ支えパイプ４にフリーチューブ３を差し込む。フリーチューブは胴体部の上に設けられる頭部の中心まで嵌入され、胴体部と頭部がフリーチューブによって連結される。頭部の底面にはワッシャー１１を結合させ、頭部の中央芯部まで嵌入したフリーチューブの端は、頭部天中から嵌入された頭部操作軸下部１５に連なり、頭部操作軸下部は、頭部の上に設けられる頭部操作帽子１の底面から上へ嵌入された頭部操作軸上部５と頭部空廻り止めピン１０で連結一体化される。【選択図】図１
0003171327.tif 000002
【実用新案登録請求の範囲】
【請求項１】
胴体部と頭部をフリーチューブで連結し、頭部の上に頭部操作帽子を載せる基本構造であるが、お座りした子犬の縫い包みのイメージを模り、前脚部を取り付けた胴体部を形成し安定盤に載せ固定し、前脚部に挟まれた胴体部前面のお腹から胸へ連なる壁面にフリーチューブ支えパイプを取り付け、フリーチューブ支えパイプにフリーチューブを差し込み、胴体部の後背肩口に頭部定置突起を上向きに設け、フリーチューブはフリーチューブ支えパイプ上端から露出してさらに上に延び、肩口から上方へ短い首部と成り、さらに首部の上に載っかる頭部の真ん中辺まで嵌入され、胴体部と頭部がフリーチューブによって連結され、頭部の底面にはワッシャーを結合させ、後頭部の底面には５個程の複数の突起受け穴がワッシャーを貫通して、頭部定置突起の（肩口から突き出た）長さに対応した深さに設け、頭部の中央芯部まで嵌入したフリーチューブの端は、頭部天中から嵌入された頭部操作軸下部に連なり、頭部操作軸下部は、頭部操作帽子の底面から上へ中央芯部まで嵌入された頭部操作軸上部と頭部空廻り止めピンで連結一体化され、こうして全体を構成した骨格に縫い包みを着せることを特徴とする縫い包みの骨格。
【考案の詳細な説明】
【技術分野】
【０００１】  本考案は、縫い包みの中身の縫い包みの骨格に関するものである。
【背景技術】
【０００２】  従来、縫い包みは顔が一方向に固定してあるものが殆んどである。
【考案の概要】
【考案が解決しようとする課題】
【０００３】  そのために、次のような問題点があった。
縫い包みの人形、動物等の顔は、一方向に固定しているために、向きを変えて置きたい場合も、身体全体の向きを変える他なく、顔の方から見れば常に同じで、変化に乏しく、面白くなかった。
本考案は、以上の問題点を解決するためになされたものである。
【課題を解決するための手段】
【０００４】  胴体部と頭部をフリーチューブで連結し、頭部の上に頭部操作帽子を載せる基本構造である。
お座りした子犬の縫い包みのイメージを模り、前脚部を取り付けた胴体部を形成し、安定盤に載せ固定する。
前脚部に挟まれた胴体部前面のお腹から胸へ連なる壁面にフリーチューブ支えパイプを取り付け、フリーチューブ支えパイプにフリーチューブを差し込む。
胴体部の後背肩口（フリーチューブ首部後ろ）に頭部定置突起を上向きに設ける。
フリーチューブはフリーチューブ支えパイプ上端から露出してさらに上に延び、肩口から上方へ短い首部と成り、さらに首部の上に載っかる頭部の真ん中辺まで嵌入され、胴体部と頭部がフリーチューブによって連結される。
頭部の底面にはワッシャーを結合させ、後頭部の底面（肩口との対向面）には５個程の複数の突起受け穴がワッシャーを貫通して、頭部定置突起の（肩口から突き出た）長さに対応した深さに設ける。
頭部の中央芯部まで嵌入したフリーチューブの端は、頭部天中から嵌入された頭部操作軸下部に連なり、頭部操作軸下部は、頭部操作帽子の底面から上へ中央芯部まで嵌入された頭部操作軸上部と頭部空周り止めピンで連結一体化される。
こうして全体構成された骨格に縫い包みを着せる。
以上を特徴とする縫い包みの骨格である。
【考案の効果】
【０００５】  可愛い縫い包みが、顔を左・右・下方へ数段階の向き変えができ、縫い包みといえども、見る側に対し、部妙な表情変化で楽しませ、癒してくれることができる。
【図面の簡単な説明】
【０００６】
【図１】  本考案の正面から見た内部の構造図
【図２】  本考案の側面から見た内部の構造図
【図３】  本考案の上から見た内部の構造図
【考案を実施するための形態】
【０００７】  以下、本発明の実施の形態を説明する。
胴体部（６）と頭部（２）をフリーチューブ（３）で連結し、頭部（２）の上に頭部操作帽子（１）を載せる基本構造である。
お座りした子犬の縫い包みのイメージを模り、前脚部（７）を取り付けた胴体部（６）を形成し、安定盤（１４）に載せ固定する。
前脚部（７）に挟まれた胴体部（６）前面のお腹から胸へ連なる壁面にフリーチューブ支えパイプ（４）を取り付け、フリーチューブ支えパイプ（４）にフリーチューブ（３）を差し込む。
胴体部（６）の後背肩口（１３）に頭部定置突起（８）を上向きに設ける。
フリーチューブ（３）はフリーチューブ支えパイプ（４）上端から露出して、さらに上に延び、肩口（１３）から上方へ短い首部（１２）と成り、さらに首部（１２）の上に載っかる頭部（２）の真ん中辺まで嵌入され、胴体部（６）と頭（２）がフリーチューブ（３）によって連結される。
頭部（２）の底面にはワッシャー（１１）を結合し、後頭部の底面（肩口との対向面）には５個程の複数の突起受け穴（９）がワッシャー（１１）を貫通して、頭部定置突起（８）の突き出た長さに対応した深さに設ける。
頭部（２）の中央芯部まで嵌入したフリーチューブ（３）の端は、頭部（２）天中から嵌入された頭部操作軸下部（１５）に連なり、頭部操作軸下部（１５）は、頭部操作帽子（１）の底面から上へ中央芯部まで嵌入された頭部操作軸上部（５）と頭部空周り止めピン（１０）で連結一体化される。
こうして全体構成された骨格に縫い包みを着せる。
本考案は、以上のような構成であり、これを実際に使用するときは、手で胴体部（６）を押さえ、他方の手で操作帽子（１）を軽く持ち上げるようにして、縫い包みの顔の向きを左・右・下と自由に段階的に動かし、好みの向きで頭部定置突起（８）が突起受け穴（９）に収まったことを確認したら、手を離して好みの場所におくだけである。
いつも見慣れているはずの縫い包みが、ちょっと違った表情を見せてくれるので、飽きも来ず、楽しくなり、また癒されもする。
【符号の説明】
【０００８】１  頭部操作帽子
２  頭部
３  フリーチューブ
４  フリーチューブ支えパイプ
５  頭部操作軸上部
６  胴体部
７  前脚部
８  頭部定置突起
９  突起受け穴
１０  頭部空周り止めピン
１１  ワッシャー
１２  首部
１３  肩口
１４  安定盤
１５  頭部操作軸下部
【図１】
0003171327.tif 000003
【図２】
0003171327.tif 000004
【図３】
0003171327.tif 000005
(57)【要約】      （修正有）【課題】自動で点灯・消灯する墓の灯篭用電子ろうそくを提供する。【解決手段】側面に光センサー３ｂ及び上部中央にＬＥＤ３ａを設置した電気回路基板３が、光センサーの感知可能な光透過壁を有した本体の内側上部にＬＥＤが上になるように取り付けられた本体の下部開放部に、電気回路基板の電極棒付きプラス及びマイナスリード線４ｄ，４ｅにより電池に配線された底部組込み品を嵌合圧入してあり、光センサーによりＬＥＤが暗くなると自動点灯し明るくなると自動消灯する。【選択図】図２
0003171301.tif 000002
【実用新案登録請求の範囲】
【請求項１】
光センサーを使用して夜になると自動点灯し、翌朝明るくなると自動消灯する墓の灯篭用電子ろうそく。
【請求項２】
家庭防水確保の為に、本体と底部の嵌合部全周に凸部及び凹部を設け、それら凸部及び凹部を嵌合組み込みさせたことを特徴とする請求項１記載の電子ろうそく。
【考案の詳細な説明】
【技術分野】
【０００１】    本考案は、墓の灯篭用ろうそくの自動点灯及び消灯の電子化に関するものである。
【背景技術】
【０００２】    従来、墓の灯篭の照明は、ろうそくを毎夕方持参して点灯していた。
【考案の概要】
【考案が解決しようとする課題】
【０００３】    以上に述べた、従来のろうそくを毎夕方持参し、点灯するやり方は、非常に労力と時間を費やすものであった。【０００４】    本考案は、この様な従来のやり方の問題、すなわち労力と時間の浪費を省くことを目的とするものである。
【課題を解決するための手段】
【０００５】    本考案は、光センサーを使用した電気回路で夕方暗くなると自動的に電子ろうそくが点灯し、翌朝明るくなると自動的に消灯する装置で、上述の問題点を解決している。【０００６】    また、屋外の使用であるから、家庭防水対策を必要とする。このために、本体と底部の嵌合部全周に凸部及び凹部を設け、組み合わせ時に、凸部及び凹部を全周において嵌合することにより家庭防水効果を出している。
【考案の効果】
【０００７】    上述のように、本考案の墓の灯篭用電子ろうそくの使用により労力と時間を省く事ができる。
【図面の簡単な説明】
【０００８】
【図１】  本考案の実施形態の正面外観図
【図２】  同正面断面図
【図３】  乾電池３個、プラス電極板、マイナス電極板、プラスマイナス連結電極板２個を組み込んだ底部の平面図
【図４】  図２内のＡ部の拡大図（図は本体１に凹部、底部２に凸部であるが、凹凸形状は、反対に付けてもよい。）
【図５】  乾電池のプラスマイナス連結電極板の正面図、及びＡ−Ａ側面断面図
【図６】  乾電池の各プラス、マイナス電極板の正面図、及びＡ−Ａ側面断面図
【図７】  プラス、マイナスのリード線用電極棒
【図８】  電気回路図
【考案を実施するための形態】
【０００９】    以下、本考案の実施の形態を図１から図８に基づいて説明する。
【００１０】    図１において、Ｂは、本体１の下部に設けた切欠きであり、対面にもつくり、本体１と底部２を、分離するとき、コイン状のものを挿入し、回転させるために作成してある。
【００１１】    図７の様に既に、プラス及びマイナスリード線４ｄ、４ｅに圧着された電極棒付きの、電気回路基板を２個のねじにて本体１内部所定位置に固定する。
【００１２】    図３の底部部品組み込み品に、上記のプラス電極棒４ｄ及びマイナス電極棒４ｅを、それぞれプラス電極板及びマイナス電極板に接触圧入する。このことにより回路はスイッチＯＮとなる。
【００１３】    上述図３の底部組み込み品を、本体１の下部開放部に嵌合圧入し、図４の様に全周にわたって凹部凸部を嵌合する。
【００１４】    以上により組み立て品は、電気回路がＯＮで、更に家庭防水効果の存する電子ろうそくの完成となる。
【００１５】    墓の灯篭に設置された上述説明の電子ろうそくは、図８に示す回路により、薄暗くなると光センサー３ｂの電気抵抗が増加し、オペアンプ３ｃにより反転して出力電圧が０から飽和出力電圧を生じＬＥＤ３ａが点灯する。逆に明るくなると反対の反応が生じ、ＬＥＤは消灯する。
【実施例】
【００１６】    以上、上述における本考案すなわち自動点灯、消灯電子ろうそくが実施例である。【００１７】    使用乾電池が単３または単４で三個使用する。【００１８】    図１は角型外観図であるが、内容が同一であれば、外形状は円形、多角形、またはその複合系でもよい。
【符号の説明】
【００１９】１  本体
２  底部
３  電気回路基板
３ａ  ＬＥＤ
３ｂ  光センサー
３ｃ  オペアンプ
３ｄ  ４．５Ｖ
Ｒ１  ５１ｋΩ
Ｒ２  １７ｋΩ
Ｒ３  ７ｋΩ
Ｒ４  １０ｋΩ
Ｒ５  ２２０ｋΩ
４ａ  プラスマイナス連結電極板
４ｂ  プラスまたはマイナス電極板
４ｃ  電極棒
４ｄ  プラスリード線
４ｅ  マイナスリード線
５  乾電池
６  乾電池押さえ板
７  電気回路基板取り付けねじ
Ａ  本体１、底部２の凹凸部位置図
Ａａ  Ａの拡大図
Ｂ  本体１の切欠き部位置図
Ｃ  電極棒４ｃとプラスまたはマイナスリード線との圧着形状図
【図１】
0003171301.tif 000003
【図２】
0003171301.tif 000004
【図３】
0003171301.tif 000005
【図４】
0003171301.tif 000006
【図５】
0003171301.tif 000007
【図６】
0003171301.tif 000008
【図７】
0003171301.tif 000009
【図８】
0003171301.tif 000010
【手続補正書】
【提出日】平成23年8月8日(2011.8.8)
【手続補正１】
【補正対象書類名】実用新案登録請求の範囲
【補正対象項目名】請求項１
【補正方法】変更
【補正の内容】
【請求項１】
側面に光センサー及び上部中央にＬＥＤを設置した電気回路基板が、前記光センサーの感知可能な光透過壁を有した本体の内側上部に前記ＬＥＤが上になるように設置取り付けられた前記本体の下部開放部に、前記電気回路基板の電極棒付きプラス及びマイナスリード線により電池に配線された底部組込み品を嵌合圧入してあり、前記光センサーにより前記ＬＥＤが暗くなると自動点灯し明るくなると自動消灯する墓の灯篭用電子ろうそく。
(57)【要約】      （修正有）【課題】重ね合わせた際の密着性・安定性・結束性を高め、重ねて使用することのできるＲ付重ね合わせ用途用山形鋼を提供する。【解決手段】熱間圧延で山形鋼の頂部に大きなＲ形状を付ける。【選択図】図２
0003171310.tif 000002
【実用新案登録請求の範囲】
【請求項１】
頂部にＲ形状を付けることにより、複数本を重ね合わせた際の安定性・密着性・結束性を高めるとともに、使用上の安全性を高めたＲ付重ね合わせ用途用山形鋼
【考案の詳細な説明】
【技術分野】
【０００１】本考案は、Ｒ付重ね合わせ用途用山形鋼に関する。
【背景技術】
【０００２】従来のＪＩＳ規格による汎用の山形鋼は、頂部が鋭角である。【０００３】また、頂部を機械加工によって、特別の形状（狭角）にした狭角山形鋼や板を曲げて山形鋼状にした製品もある。
【先行技術文献】
【非特許文献】
【０００４】
【非特許文献１】「東京鋼鐵Ｒ付等辺山形鋼カタログ」  東京鋼鐵株式会社
【考案の概要】
【考案が解決しようとする課題】
【０００５】しかしながら、従来の山形鋼は、重ね合わせたときに互いの頂部がしっかりと密着しないため、安定性と結束性を欠き、重ねた状態での使用が出来ないという欠点がある。【０００６】また、板を曲げて山形鋼状にする手法は、加工歪の点から長尺の物の製作が困難なことや、熱や力により変形を起こすなどの問題点があるほか、製作コストも過分にかかる。【０００７】さらに、従来の山形鋼は、頂部の先端が鋭角になっているため、当該鋭角部分に触れた人体や物を傷つける危険性がある。
【課題を解決するための手段】
【０００８】本考案は、熱間圧延で山形鋼の頂部に大きなＲ形状を付けることにより、上記課題を解決する。
【考案の効果】
【０００９】本考案によって、次に列挙する効果が得られる。
（１）熱間圧延で山形鋼の頂部に大きなＲ形状を付けることにより、重ね合わせた際の密着性・安定性・結束性が高い山形鋼となる。【００１０】（２）Ｒ付重ね合わせ用途用山形鋼は、頂部がＲ形状になっているので、人体や物を傷つける危険性を少なくすることができる。【００１１】（３）Ｒ付重ね合わせ用途用山形鋼は、熱間圧延工程で製造することにより、技術的難題や高コストの問題を解決することができる。【００１２】（４）Ｒ付重ね合わせ用途用山形鋼に塗装・メッキ等の表面処理をしたときに角部への均一な塗装（メッキ厚）が可能になる。
【図面の簡単な説明】
【００１３】
【図１】溶接により接続した使用例の図
【図２】ＪＩＳ汎用品と重ね合わせた図
【図３】板金箱物（制御盤等）の内枠に使用した図
【考案を実施するための形態】
【００１４】以下、本考案の実施の形態を図に基づいて説明する。
【実施例１】
【００１５】図１は、Ｒ付重ね合わせ用途用山形鋼を溶接した図である。Ｒ付のため、アングル溶接時の開先加工が不要となり、ＪＩＳ汎用品を含め、山形鋼の接続が簡単に出来る。
【実施例２】
【００１６】図２は、Ｒ付重ね合わせ用途用山形鋼をＪＩＳ汎用品と重ね合わせた図である。隙間が無いため、互いに密着するので、物流パレットへの利用が可能。
【実施例３】
【００１７】図３は、Ｒ付重ね合わせ用途用山形鋼を板金箱物（制御盤等）の内枠に利用した図である。側板との合わせが楽になる。
【産業上の利用可能性】
【００１８】本考案は、Ｒ付重ね合わせ用途用山形鋼を製造する産業で利用される。
【符号の説明】
【００１９】１  Ｒ付重ね合わせ用途用山形鋼
２  ＪＩＳ汎用品
３  溶接時の開先加工が不要
４  ＪＩＳ汎用品と重ねると隙間がないため密着する
５  内枠
６  制御盤側板
７  隙間
【図１】
0003171310.tif 000003
【図２】
0003171310.tif 000004
【図３】
0003171310.tif 000005
(57)【要約】      （修正有）【課題】いろんな形に変形でき、耐久性がある安価な玩具を提供する。【解決手段】四足の動物の頭部、前足、胴、後足の各部を一本のゴム紐で引き寄せる。【選択図】図１
0003171309.tif 000002
【実用新案登録請求の範囲】
【請求項１】
頭部、前足、胴、後足の各部を一本のゴム紐で、引き寄せて、各部を回転させていろいろな体形にできる動物の玩具
【考案の詳細な説明】
【技術分野】
【０００１】四足の動物で、いろんな形に変形できる玩具である。
【背景技術】
【０００２】四足の動物で、いろんな形に変形できる玩具であるが、複雑である。
【先行技術文献】
【特許文献】
【０００３】
【特許文献１】変形玩具のほとんどは、２、３種である。
【考案の概要】
本体が５個に別れているので変形度は、大変多い。
【考案が解決しようとする課題】耐久性を良くすることと、安価にすること。
四足の動物で、いろんな形に変形できる玩具であるが、複雑である。
【課題を解決するための手段】素朴な木製玩具などを見直した。
【考案の効果】変形させたまま置物にもなる。
【図面の簡単な説明】
【図１】本考案の動物の玩具の構成
【図２】本考案の動物の玩具の変形した形態  （ａ）正常図  （ｂ）寝た状態  （ｃ）逆立ち
【考案を実施するための形態】
本考案の動物の玩具は、図１に示すように、１頭部と２前足、３背中で構成されている。
その各部には、ゴムを通す穴を設けている。そのゴムの張力で常に引き合っている。
これらは、頭部と尻部のゴム止めがあり、背部などはゴムで接続されている。
図２を変形について説明する。前背を１８０度、後足を１８０度、回転する。
【産業上の利用可能性】製材所などの端材を使う。
【符号の説明】１  頭部
２  前足
３  前背
４  後背
５  後足
６〜９  耐久性のためのプラスチック板
１０〜１１  ゴム端のフック
１２〜１４  ゴムを通す穴
【図１】
0003171309.tif 000003
【図２】
0003171309.tif 000004
(57)【要約】      （修正有）【課題】マッサージ器具を安定的に置いて、患部をピンポイントで軽い力で押圧できるツボ押しマッサージ器具を提供する。【解決手段】四方に密着体〈１ａ，１ｂ，１ｃ，１ｄ〉を有した十字型の平滑状基板１を有し、この基板の交差部に上方に突き出る先端状の押圧部２ａを設け、かつ基板１の根元側に密着体１ｄより延設される把持部を形成する。突起２ａは、三角錐であるいは、円筒状あるいは、多角形あってもよく、先端を先端状突起２ａとするものであればよい。使用に当たっては、人体の患部に把持部を持って十字型の基盤を置いて、それぞれの密着体１ａ，１ｂ，１ｃ，１ｄ患部に安定した状態でフィットされ突起先端状押圧部２ａが安定した状態でピンポイントで患部に命中するものである。【選択図】図１
0003171318.tif 000002
【実用新案登録請求の範囲】
【請求項１】
十字型の手滑状の基板の交差部に上方に先出し、先端状の押圧部を有する突起を設け、かつ突起基板の根元側に把持部を形成してなる事を特徴とするツボ押しマッサージ器具。
【考案の詳細な説明】
【技術分野】
【０００１】本考案は、身体のツボ押しマッサージ器具に関する。
【背景技術】
【０００２】ツボ押しマッサージ器具は、先端に押圧部を設けた鉛筆型の物があり、圧が、軽い力でかかるようにしたものである。
【考案の概要】
【考案が解決しようとする課題】
【０００３】  本考案は、マッサージ器具を安定的に置いて、人体に圧をピンポイントで軽い力で掛かるようにしたものである。
【課題を解決するための手段】
【０００４】  本考案は、十字型の平滑状基板の交差部に上方にに向けて先端状の押圧部突起を設け、かつ基板の根元側に把持部を形成してなることを特徴とするものである。
【考案の効果】
【０００５】  押圧部が先端状に設けられ、かつ基板に十字状に形成されてる為  車のリクライニングシートや柔らかい寝具等の比較的不安定場所において患部をマッサージする際においても安定的に患部をピンポイントで軽く押圧してマッサジ効果を高める事ができる。【０００６】  持ち運びが容易で手軽【０００７】  押圧部の反対側の所を、握って足の甲等を押圧部でピンポイント押圧が軽い力で容易にできる。
【図面の簡単な説明】
【０００８】
【図１】図１は、本考案に係るマッサージ器具を示す斜視図である。
【図２】▲１▼は、同じ平面図である。▲２▼は、同じく側面図である。
【考案を実施するための形態】
【０００９】図１ないし図２に示すように、四方に密着体〈１ａ，１ｂ，１ｃ，１ｄ〉を有した十字型の平滑状基板１を有し、この基板の交差部に上方に突き出る先端状の押圧部２ａを設け、かつ基板１の根元側に密着体１ｄより延設される把持部を形成される。
【００１０】  突起２ａは、三角錐であるいは、円筒状あるいは、多角形あってもよく、先端を先端状突起２ａとするものであればよい。
【００１１】  このマッサージ器具は、人体の患部に把持部を持って十字型の基盤を置いて、それぞれの密着体１ａ，１ｂ，１ｃ，１ｄ患部に安定した状態でフィットされ突起先端状押圧部２ａが安定した状態でピンポイントで患部に命中するものである。
【図１】
0003171318.tif 000003
【図２】
0003171318.tif 000004
(57)【要約】      （修正有）【課題】高齢化に伴う顔面の皮膚のたるみや皺の発生の原因となるほうれい線を解消する為、口内から手軽に規則的・継続的にマッサージを行うことができる歯ブラシを提供する。【解決手段】歯ブラシの背部分に丸いビー玉状の突起を固定する。【選択図】図１
0003171311.tif 000002
【実用新案登録請求の範囲】
【請求項１】
ほうれい線を解消し、顔面の皮膚のたるみや皺を防ぐ為、歯磨きの都度ほうれい線周辺部をマッサージする、背部分にビー玉状の突起物をつけた歯ブラシ。
【考案の詳細な説明】
【技術分野】
【０００１】  本考案は、高齢化に伴う顔の皮膚の引き締め、たるみ防止のための歯ブラシに関するものである。
【背景技術】
【０００２】  年齢の高齢化に伴って口の周辺にほうれい線が出来、顔面の皮膚のたるみや皺の発生の原因となっている。
解決策として顔面のマッサージ機等も考案されているが、いずれも手軽さや反復性に難点がある。
【先行技術文献】
【特許文献】
【非特許文献】
【考案の概要】
【考案が解決しようとする課題】
【０００３】  ほうれい線は、年齢が重なってくるとそこにリンパ液が溜まり生じてくると言われているが、その対策としてリンパ液をリンパ腺に下げることが有効であり、その為には、ほうれい線の周辺部を口内から手軽に規則的・継続的にマッサージすることができれば、より効果的である。
【課題を解決するための手段】
【０００４】  本考案は、歯ブラシの背部分に突起（丸いビー玉状のもの）を固定し、歯磨きの都度口の中から押し上げることにより、ほうれい線周辺部のマッサージ効果でほうれい線が解消され、顔面の皮膚のたるみや皺の防止に繋がる。【０００５】  歯ブラシに固定することで手軽で、且つ歯磨きは習慣的に必ず行うので規則的・継続的なマッサージ効果が期待できる。
【考案の効果】
【０００６】  歯ブラシにしたことにより、従来の顔面マッサージ機等に比べ安価で、且つ口の内側からの刺激が可能となった。
【図面の簡単な説明】
【０００７】
【図１】  本考案のほうれい線解消歯ブラシの実施例を示す図面である。
【考案を実施するための形態】
【０００８】  突起はビー玉状にすることによって口の中で滑らかに操作できる。
【０００９】  突起のビー玉状のものの大きさは、奥歯を磨く際に不自然に口を大きく開けなくても良い程度（８ｍｍ程度）とすることによって、違和感も少なく歯ブラシの使い勝手を損なうことはない。
【図１】
0003171311.tif 000003
(57)【要約】      （修正有）【課題】郵便物の大小にかかわらず容易に郵便物を計量することができ、設置場所をとらないコンパクトな郵便物計量器を提供する。【解決手段】表示機能付き筺体と計量機能収納筺体からなり、表示機能付き筺体が計量機能収納筺体から伸縮アームを介して引き出せるように構成する。伸縮アームの一端が表示機能付き筐体に固定され、多端が計量機能収納筺体内へ伸縮自在に挿入され、表示機能付き筺体を郵便物の大きさに応じて引きだして使用する。計量皿に規定以上の荷重が加わったときに、計量皿の裏面に一体的に形成された突起部が計量機能収納筺体上面に当接され、計量機能部の破壊を防止する。【選択図】図２
0003171317.tif 000002
【実用新案登録請求の範囲】
【請求項１】
表示機能付き筺体と計量機能収納筺体からなり、表示機能付き筺体が計量機能収納筺体から伸縮アームを介して引き出せるように構成したことを特徴とする郵便物計量器。
【請求項２】
伸縮アームの一端が表示機能付き筺体に固定され、多端が計量機能収納筺体内へ伸縮自在に挿入され、表示機能付き筺体を郵便物の大きさに応じて引きだして使用するように構成したことを特徴とする請求項１記載の郵便物計量器。
【請求項３】
計量皿に規定以上の荷重が加わったときに、計量皿の裏面に一体的に形成された突起部が計量機能収納筺体上面に当接され、計量機能部の破壊を防止するように構成したことを特徴とする請求項１記載の郵便物計量器。
【考案の詳細な説明】
【技術分野】
【０００１】  本考案は郵便物計量器に関し、特に郵便物の大小にかかわらず、容易に郵便物を計量することができ、設置場所をとらないコンパクトな郵便物計量器に関するものである。
【背景技術】
【０００２】  従来、郵便物の大小にかかわらず同一の計量器で郵便物を計量する場合、計量皿の形状を変えたり、計量部と表示部を別体にしたりする発明が提案されている。【０００３】  前記せるいずれの場合でも、大きな郵便物で計量器の表示部が見づらいので、これを回避するためのものであった。【０００４】  その一例として下記のような特許文献が公開されている。
【先行技術文献】
【特許文献】
【０００５】
【特許文献１】  特開平４−２４４９２０号公報
【特許文献２】  特開平５−２８２５１１号公報
【考案の概要】
【考案が解決しようとする課題】
【０００６】  前記せる特許文献１の特開平４−２４４９２０号公報は、特に長尺円筒状の被計量物を計量する時に、両端が開放された凹溝部を計量皿に一体的に設けたものである。しかしながら、長尺円筒状の被計量物を計量する場合には便利であるが、計量する郵便物が平坦で面積が広い場合には表示部が隠れてしまい不便であった。【０００７】  また、特許文献２の特開平５−２８２５１１号公報は、郵便窓口業務を機械処理できるようにした郵便窓口処理装置であるが、装置が大掛かりであるので一般の利用者が容易に手持ちの大小の郵便物を計量するには不向きなものであった。【０００８】  そこで本考案の課題は、郵便物の大小にかかわらず、容易に郵便物を計量することができ、しかも設置場所をとらないコンパクトな郵便物計量器を提供することである。
【課題を解決するための手段】
【０００９】  本発明は前記せる課題を以下の構成によって解決するものである。
すなわち、本考案は表示機能付き筺体と計量機能収納筺体からなり、表示機能付き筺体が計量機能収納筺体から伸縮アームを介して引き出せるように構成したことを特徴とし、伸縮アームの一端が表示機能付き筺体に固定され、多端が計量機能収納筺体内へ伸縮自在に挿入され、表示機能付き筺体を郵便物の大きさに応じて引きだして使用するように構成したことを特徴とし、且つ、計量皿に規定以上の荷重が加わったときに、計量皿の裏面に一体的に形成された突起部が計量機能収納筺体上面に当接され、計量機能部の破壊を防止するように構成したことを特徴とする郵便物計量器を提供する。
【考案の効果】
【００１０】  以上説明したように本考案の郵便物計量器は、小型の郵便物を計量する場合または不使用時に於いては非常にコンパクトであり、長尺ものの郵便物を計量する場合は、表示機能付き筺体を郵便物の大きさに応じて引きだして使用することができるので、使用者が容易に利用できるものである。【００１１】  このような形状であるので、郵便局のカウンターや、事務所や自宅に机の上などに置いても邪魔にならず、便利に使用することができる。
【図面の簡単な説明】
【００１２】
【図１】  本考案郵便物計量器の全体斜視図である。
【図２】  伸縮アームを介して表示機能付き筺体を計量機能収納筺体より離間させた全体斜視図である。
【図３】  本考案郵便物計量器の側面図である。
【図４】  図３の部分縦断面図である。
【考案を実施するための形態】
【００１３】  以下、図面に基づいて本発明を実施するための形態について具体的に説明する。
【００１４】  図１乃至図２に示すように、本考案の郵便物計量器は、表示機能付き筺体３と計量機能収納筺体２からなり、表示機能付き筺体３が計量機能収納筺体２から伸縮アーム６を介して引き出せるように構成されている。
【００１５】  小型郵便物１を計量する場合は、表示機能付き筺体３と計量機能収納筺体２は図１に示すように、互いに当接された状態で極めてコンパクトな形状となっている。
【００１６】  大型郵便物１０を計量する場合は、図２乃至図３に示すように、把手５を持って表示機能付き筺体３を矢印ａ方向へ引出して使用することができる。また、再び小型郵便物を計量する場合は、把手５を持って表示機能付き筺体３を矢印ｂ方向へ戻して使用することができる。
【００１７】  伸縮アーム６の一端が表示機能付き筺体３に固定され、多端が計量機能収納筺体内２内へ図３に示すように伸縮自在に挿入され、表示機能付き筺体３を郵便物の大きさに応じて引きだして又は戻して使用するように構成されている。
【００１８】  したがって、作業者がこごんで計量作業をすることなく、表示部４を常に見易い状態で郵便物を計量することができる。
【００１９】  計量皿７に規定以上の荷重が加わったときに、計量皿７の裏面に一体的に形成された突起部８が計量機能収納筺体上面２１に当接されるので、計量軸９が必要以上に計量機能部１１へ挿入されて計量機能部１１の破壊を防止するように構成されている。
【産業上の利用可能性】
【００２０】  本考案は以上説明したような構成であり、特に郵便物の大小にかかわらず、容易に郵便物を計量することができ、設置場所をとらないコンパクトな郵便物計量器であるので、事務所や家庭での備品としても便利に利用できるものである。
【符号の説明】
【００２１】  １  小型郵便物
１０  大型郵便物
２  計量機能収納筺体
２１  計量機能収納筺体上面
３  表示機能付き筺体
４  表示部
５  把手
６  伸縮アーム
７  計量皿
８  突起部
９  計量軸
１１  計量機能部
【図１】
0003171317.tif 000003
【図２】
0003171317.tif 000004
【図３】
0003171317.tif 000005
【図４】
0003171317.tif 000006
(57)【要約】      （修正有）【課題】真綿を使用することで不要な化学薬品を含む恐れをなくした美容用フェイスマスクシートを提供する。【解決手段】シルクセリシンを含む真綿を延ばしたり、圧縮することによりシート状にして美容用フェイスマスクシートを形成する。使用する真綿は蚕の繭を天然水中でほぐしたものであり、不要の化学薬品を含んでいないので皮膚に従来のシートより安全である。使用に当たっては、該シルクセリシンを含む真綿シートを、水に浸して皮膚に貼り付けて使用する。【選択図】図３
0003171331.tif 000002
【実用新案登録請求の範囲】
【請求項１】
シルクセリシンを含む真綿を延ばしたり、圧縮することによりシート状にしたことを特徴とする美容用フェイスマスクシート
【考案の詳細な説明】
【技術分野】
【０００１】この考案は美容用フェイスマスクシートに関するものである。
【背景技術】
【０００２】従来の美容用フェイスマスクシートは布、不織布、が一般的であった。
【考案の開示】
【考案が解決しようとする課題】
【０００３】従来の美容用フェイスマスクシートは布、不織布でできており材料は化学繊維、天然繊維を織ったり、のりで固めてシートとしている。これらの中には漂白剤、合成樹脂、抗カビ剤等の皮膚によくない物質を含むものがある。
【課題を解決するための手段】
【０００４】［図１］［図２］のような本考案のシルクセリシンを含む真綿のシートを提供する。
【考案の効果】
【０００５】本考案に使用する真綿は蚕の繭を天然水中でほぐしたものであり、不要の化学薬品を含んでいないので皮膚に従来のシートより安全である。
【実施例】
【０００６】［図３］のように［図２］のシルクセリシンを含む真綿シートを水に浸して皮膚に貼り付けることができる。
【産業上の利用可能性】
【０００７】真綿のもとの蚕の繭は養殖によって生産され、木材等の天然資源を減少させることがなく  容易に生産ができる。
【図面の簡単な説明】
【０００８】
【図１】本考案のシルクセリシンを含む真綿シート
【図２】本考案のシルクセリシンを含む真綿シート
【図３】本考案のシルクセリシンを含む真綿シートを使用した例
【図１】
0003171331.tif 000003
【図２】
0003171331.tif 000004
【図３】
0003171331.tif 000005
(57)【要約】      （修正有）【課題】一度に、速く、同形に、たくさん作ることが可能なシューマイ形成蒸し器具を提供する。【解決手段】一度にまとまった数のシューマイ作りが可能となるように、円形の基盤に多数の凹部（穴部）を備える。また基盤と各凹部には蒸しに必要な細かい蒸し穴を備える。更には、形成したシューマイを形成器から取出して移動させずに、形成器ごと鍋にセットして蒸せるのである。【選択図】図１
0003171594.tif 000002
【実用新案登録請求の範囲】
【請求項１】
円形基盤上に多角形凹部を複数設置し、該基盤及び該凹部には複数の蒸気穴を設けたことを特徴とするシューマイ形成蒸し器具。
【考案の詳細な説明】
【技術分野】
【０００１】
本考案は、一般家庭におけるシューマイ作りの簡単化を図ったシューマイ形成器に関する。
【背景技術】
【０００２】
一般家庭における従来のシューマイ作りは、親指と人差し指で輪を作り、そこに皮を広げ、具を詰めるというものである。もしくは、特許文献１、特許文献２のような一定の大きさ、形を作る器具もある。しかし、一度に作れる数は１個なので作業効率は良くない。
【先行技術文献】
【特許文献】
【０００３】
【特許文献１】特開平１１−１３７２２９号公報
【特許文献２】特開２００７−２３６８７９号公報
【考案の概要】
【考案が解決しようとする課題】
【０００４】
指で輪を作るシューマイ形成は大きさ、形が定まらず、１個作るのにも時間がかかる。この作業の繰り返しが面倒なイメージを作り、家庭でのシューマイ作りが敬遠される大きな原因となっている。
【０００５】
背景技術には、特許文献１、特許文献２がある。それによれば、指で輪を作る作業はなくなり、大きさ、形は安定する。しかし、一度に１個の形成では能率が悪く、時間がかかる。一度に、速く、同形に、たくさん作ることが今回の課題である。
【課題を解決するための手段】
【０００６】
前述したように従来のやり方や先行技術での作業効率を改善するため、本形成器では、一度にまとまった数のシューマイ作りが可能となるように、円形の基盤に多数の凹部（穴部）を備える。
【０００７】
各凹部（穴部）は皮を広げ具を詰めやすくするため、底面は平らで、側面は多角形とする。
【０００８】
これらの多数の各凹部に皮をセットしていき、凹部全てに皮をセットしたら、一連の作業で具を詰めていくだけである。
【０００９】
更に面倒な作業を省くため、形成したシューマイを形成器から移動することなく形成器ごと蒸すのである。
【００１０】
この蒸す作業が可能となるために、形成器基盤及び各凹部の底面、各凹部の側面に蒸しに必要な細かい蒸し穴を備える。また鍋に形成器をセットしやすいように、形成器基盤下には鍋底に立てる為の脚、又は形成器基盤脇には鍋に引っ掛ける為のフックを設ける。
【考案の効果】
【００１１】
上述したように従来のやり方、又は先行技術を用いてどんなに手早くしたとしても、一度に１個しか形成することはできない。しかし、本形成器を用いれば、同じ大きさ、同じ形の凹部にいっぺんに皮を多数セットして、一連の作業で具を詰めていけば良いのである。従来、苦労した面倒な具詰めはこれだけで完了なのである。
【００１２】
更には、形成したシューマイを形成器から取出して移動させずに、形成器ごと鍋にセットして蒸せるのである。
【００１３】
本形成器での作業効率のメリットを簡単にまとめると以下の通りである。
（１）一度に多数の皮をセットできる
（２）一度に多数の具詰めができる
（３）形成したシューマイは形成器ごと蒸すことができる
【図面の簡単な説明】
【００１４】
【図１】本考案の実施の形態を示す平面図
【図２】本考案の実施の形態を示す拡大平面図
【図３】本考案の実施の形態を示す拡大断面図（蒸気穴を示す）
【図４】本考案の実施の形態を示す拡大断面図図
【図５】本考案のシューマイ形成蒸し器具に皮をセットし具を詰めた状態を示す拡大断面図
【図６】本考案のシューマイ形成蒸し器具に皮をセットし具を詰めた状態を示す拡大平面図
【図７】図６の皮をたたんだ状態を示す拡大平面図
【図８】本考案のシューマイ形成蒸し器具付属の脚を立て鍋にセットした状態を示す拡大断面図
【考案を実施するための形態】
【００１５】
以下、本考案の実施の形態を図１から図８に基づいて説明する。
【００１６】
図１においては、円形板状（形状は四角形、多角形等考えられるが、最終工程で鍋にセットすることを考慮すると円形が最適）に基盤上に直径２．５〜３ｃｍ、深さ２．５ｃｍ程度の多数の凹部３（直径、深さは色々考えられるが、一般的なシューマイの大きさを設定した）がある。
【００１７】
図１の基盤１、凹部３には、図２の５、図３の６に示すように多数の蒸気穴を設ける。
【００１８】
図４の底部７、側部８からなる安定した形状の凹部により、図５、図６に示すシューマイ形成に必要な皮９が凹部に沿うように広げやすくなる。皮９に具１０を詰めたら、図７に示すように皮９の上部は具１０を包むようにたたんでシューマイ形成は完了する。
【００１９】
全ての凹部に上記のシューマイ形成作業が完了し終えたら、図８に示す鍋１２（一般家庭にあるもので本考案のシューマイ蒸し器具がセットできるもの）に、お湯１３を張り、本体付属の脚１１を立てて火にかけて蒸す。
【００２０】
この最後の蒸し工程において、図２の５に示すように蒸気穴が多数あることで形成器具のみならず蒸す器具としての機能も発揮する。
以上、本実施形態において説明したように、本考案のシューマイ形成蒸し器具を使うことによりシューマイの形成から蒸し作業までの一連の工程が可能となる。
【００２１】
今回の考案において材質はステンレスを想定したが、シリコンなどの材質であればレンジでの使用も可能と思われる。
【符号の説明】
【００２２】
１    基盤
２    縁
３    多角形凹部
４    引き上げ取っ手
５    蒸気穴
６    蒸気穴
７    凹部底面
８    凹部側面
９    皮
１０  具
１１  本体付属立脚
１２  鍋
１３  湯
【図１】
0003171594.tif 000003
【図２】
0003171594.tif 000004
【図３】
0003171594.tif 000005
【図４】
0003171594.tif 000006
【図５】
0003171594.tif 000007
【図６】
0003171594.tif 000008
【図７】
0003171594.tif 000009
【図８】
0003171594.tif 000010
【手続補正書】
【提出日】平成23年9月1日(2011.9.1)
【手続補正１】
【補正対象書類名】実用新案登録請求の範囲
【補正対象項目名】全文
【補正方法】変更
【補正の内容】
【実用新案登録請求の範囲】
【請求項１】
基盤上に多角形凹部を複数設置し、該基盤及び該凹部の底面、側面に複数の蒸気穴を設け、該基盤下には鍋底に立てる為の足、又は該基盤脇には鍋に引っ掛ける為のフックを設けた事を特徴とするシューマイ形成蒸し器具。
(57)【要約】      （修正有）【課題】箸と皿を一体化して片手で箸と皿を持つことを可能にする箸立てを提供する。【解決手段】クリップ付箸立てを皿に固定することにより，皿と箸を一体化することにより，片手で皿と箸を持つことが出来る。皿と箸が一体化するので、もう一方の手で飲物を持つことが出来るようになった。プラスチック製のクリップにアクリル製のパイプを接着させ、箸をアクリルパイプに入れることを特徴とする。【選択図】図３
0003171595.tif 000002
【実用新案登録請求の範囲】
【請求項１】
プラスチック製のクリップにアクリル製のパイプを接着させ，アクリルパイプに箸を入れ，クリップ付箸立てのクリップで，クリップ付箸立てを皿に固定させ，皿と箸を一体化させることを特徴とする箸立て。
【考案の詳細な説明】
【技術分野】
【００１】本考案は箸と皿を一体化する時に使用される道具に関する。
【背景技術】
【００２】従来は立食パーテー，バイキングパーテー等においては皿を持って移動しながら料理品を食べていた。この時皿を左手に持ち，箸を右手に持っていた。
これでは両手がふさがってしまい，飲物等を持つことが出来なかった。
【考案の概要】
【考案が解決しようとする課題】
【００３】立食パーテー，バイキングパーテー等では左手に皿，右手に箸を持ち，飲物を飲む時は箸をどこかに置かなければならなかった。どこに箸を置くかという問題点があった。
【課題を解決するための手段】
【００４】プラスチック製のクリップにアクリル製のパイプを接着させ，箸をアクリルパイプに入れることを特徴とする。
【考案の効果】
【００５】クリップ付箸立てのクリップで皿にクリップ付箸立てを固定させることが出来るので，皿と箸が一体化するので片手で皿と箸を持つことが出来るので，もう一方の手で飲物を持つことが出来るようになった。
【図面の簡単な説明】
【００６】
【図１】本考案のクリップ付箸立ての側面方向からの断面図である。
【図２】本考案のクリップ付箸立ての平面図である。
【図３】本考案のクリップ付箸立ての使用状況を示す正面図である。
【符号の説明】
【００７】１  クリップ
２  箸立パイプ
３  皿
４  料理品
５  箸
【図１】
0003171595.tif 000003
【図２】
0003171595.tif 000004
【図３】
0003171595.tif 000005
(57)【要約】      （修正有）【課題】簡単な構造の装置を用い、蒸気発生源から発生する蒸気の一部を装置内で復水させ、排水し、排出する蒸気の量の減少を目的とする蒸気処理装置を提供する。【解決手段】外周に一定の高さの壁面を形成した吸引口２を底面に備え、該吸引口の並びに、復水して落下した水を排水する排水口３を備える。上昇する蒸気の流れに沿って、上部左右に該蒸気を排気する排気口１を備え、さらに該蒸気を復水させる空間を構成する壁面の形成において、上面にあたる壁面の形状を山形にする。【選択図】図１
0003171574.tif 000002
【実用新案登録請求の範囲】
【請求項１】
蒸気発生源の蒸気排気口に接続し、取り入れた蒸気の一部を復水させる空間を設けて、排出する蒸気の量を減少させるための蒸気処理装置であって、該蒸気を取り入れる吸引口と、該蒸気を排気する排気口、復水した水を排水する為の排水口とを備え、該蒸気を復水させる空間を構成する壁面の形成において、上面にあたる壁面の形状を山形にすることを特徴とする蒸気処理装置
【考案の詳細な説明】
【技術分野】
【０００１】本考案は、蒸気発生源から排出される蒸気を取り込み、蒸気の一部を復水させる空間を設け、排出する蒸気の量を減少させる蒸気処理装置に関する。
【背景技術】
【０００２】たとえば、スチームコンベクションオーブンや自動洗浄機など、蒸気の発生する機器の排出蒸気の処理は、機器本体に処理機能を設けたものもあるが、それらの機器を含めても、排気蒸気の処理は完全とはいいがたい。更に厨房の多くが構造上の問題や、排気・空調設備のイニシャル及びランニングコストの問題、さらにエコロジーの点からも換気量の抑制が求められること等から、適切な換気量が取れないまま放置されていることが多い。そのため、排出された蒸気は換気装置によって室外に排出される前に、室内で結露し、湿気の原因となる場合が多い。
【考案の開示】
【考案が解決しようとする課題】
【０００３】簡単な構造の装置を用い、蒸気発生源から発生する蒸気の一部を装置内で復水させ、排水し、排出する蒸気の量の減少を目的とする蒸気処理装置を提供する。
【課題を解決するための手段】
【０００４】本考案は上記課題を解決する為に以下の考案を提供する。【０００５】蒸気発生源の蒸気排気口に接続し、取り入れた蒸気の一部を復水させる空間を設けて、排出する蒸気の量を減少させるための蒸気処理装置であって、該蒸気を取り入れる吸引口と該蒸気を排気する排気口、復水した水を排水する為の排水口とを備え、該蒸気を復水させる空間を構成する壁面の形成において、上面にあたる壁面の形状を山形にすることを特徴とする蒸気処理装置である。
【考案の効果】
【０００６】蒸気発生源から排出される蒸気を、本考案の蒸気処理装置を通過させることにより蒸気の一部を復水させ、排出する蒸気の量を減少させることができる。
【考案を実施するための最良の形態】
【０００７】本考案は蒸気発生源の蒸気排気口に接続し、発生する蒸気の一部を壁面への接触による結露により復水させ排水し、排気口より排出される蒸気の量を減少させる為の蒸気処理装置である。  蒸気発生源としては、加熱調理気、食器洗浄器等の厨房内設備が上げられるが、これらに限定されない。【０００８】本考案の蒸気処理装置は、該蒸気を吸引口から取り入れ、該蒸気の通過する空間において該蒸気と壁面との接触により結露させる。【０００９】そして、該蒸気を復水させる空間を構成する壁面の形成においては、結露した水が、効率よく排水口へ流れるように上面にあたる壁面の形状を山形にする。【００１０】本考案の実施の形態を図面に基づいて詳細に説明する、図１は本考案の実施形態を示す斜視図である。蒸気発生源の蒸気排気口と接続する吸引口（２）を底面に、蒸気を排気する排気口（１）を上部左右に、復水した水を排水する為の排水口（３）を底面の吸引口（２）の並びに構成し、吸引口（２）は外周に一定の高さの壁面を形成する。
図２は本考案の蒸気と復水した水の流れを示した模式図である。吸引口（２）より取り込まれた蒸気は、上昇気流により上部に流れ、壁面に接触することで結露する。山形に形成された上部面に結露した水は、そのまま山形の谷部まで流れ、さらに側面を伝って底部へ落ちる。  このように復水した水は、蒸気吸引口（２）に落ちることなく、壁面を伝って底部に溜まり、排水口より排水される。蒸気の一部はそのまま排気口（１）より排気されるが、蒸気の減少は多く、室内の結露を防止することが出来る。
【図面の簡単な説明】
【図１】  本考案の実施形態を示す斜視図
【図２】  本考案の蒸気と復水した水の流れを示した模式図
【図３】  本考案の使用状態の一例を表した参考斜視図
【符号の説明】  １は排気口
２は吸引口
３は排水口
Ａは本考案
Ｂは蒸気発生機器
Ｃは排水管
【図１】
0003171574.tif 000003
【図２】
0003171574.tif 000004
【図３】
0003171574.tif 000005
【手続補正書】
【提出日】平成23年8月17日(2011.8.17)
【手続補正１】
【補正対象書類名】実用新案登録請求の範囲
【補正対象項目名】全文
【補正方法】変更
【補正の内容】
【実用新案登録請求の範囲】
【請求項１】
蒸気発生源から取り込んだ蒸気が排出されるまでの空間において、蒸気の一部を復水させ、排出する蒸気の量を減少させる蒸気処理装置であって、外周に一定の高さの壁面を形成した吸引口２を底面に備え、該吸引口の並びに、復水して落下した水を排水する排水口３を備える。上昇する蒸気の流れに沿って、上部左右に該蒸気を排気する排気口１を備え、さらに該蒸気を復水させる空間を構成する壁面の形成において、上面にあたる壁面の形状を山形にすることを特徴とする蒸気処理装置
【手続補正２】
【補正対象書類名】明細書
【補正対象項目名】０００５
【補正方法】変更
【補正の内容】
【０００５】蒸気発生源から取り込んだ蒸気が排出されるまでの空間において、蒸気の一部を復水させ、排出する蒸気の量を減少させる蒸気処理装置であって、外周に一定の高さの壁面を形成した吸引口２を底面に備え、該吸引口の並びに、復水して落下した水を排水する排水口３を備える。上昇する蒸気の流れに沿って、上部左右に該蒸気を排気する排気口１を備え、さらに該蒸気を復水させる空間を構成する壁面の形成において、上面にあたる壁面の形状を山形にすることを特徴とする蒸気処理装置である。